(57)【要約】      （修正有）【課題】受信コイルと電子部品を備えた玩具体の受信コイルの位置に制御コイルを近づけた玩具用スタンドを提供する。【解決手段】玩具用スタンド１は、基台２と給電装置２１を有する。給電装置２１は、制御コイル２２と、電源部２３と、電源部２３の駆動による制御コイル２２への通電を制御する制御装置２５とからなる。基台２の上面板３には、支持部材１１が設けられている。制御コイル２２は、支持部材１１の上部に取り付けられている。玩具用スタンド１は、基台２の支持部材１１に配置された制御コイル２２が玩具体４１の受信コイル５７に誘導起電力を発生させ、玩具体４１に組み込まれた電子部品５６を駆動させることができる。【選択図】図１
0003199903.tif 000002
【実用新案登録請求の範囲】
【請求項１】
基台と給電装置を有し、
給電装置は、制御コイルと、電源部と、電源部の駆動による制御コイルへの通電を制御する制御装置とからなり、
基台の上面には、支持部材が設けられ、
前記制御コイルは、支持部材の上部に取り付けられていることを特徴とする玩具用スタンド。
【請求項２】
前記支持部材は、塑性変形可能な素材で形成されていることを特徴とする請求項１記載の玩具用スタンド。
【請求項３】
前記支持部材は、複数のリンク部材と、各リンク部材を直列状に連結する連結部とからなり、屈曲可能に形成されていることを特徴とする請求項１記載の玩具用スタンド。
【請求項４】
基台は、受信コイルと、受信コイルに電気的に接続された電子部品を備えた玩具体を載置可能に形成されていることを特徴とする請求項１、２又は３記載の玩具用スタンド。
【請求項５】
基台は、受信コイルと、受信コイルに電気的に接続された電子部品を備えた玩具部品を装着できる玩具体を載置可能に形成されていることを特徴とする請求項１、２又は３記載の玩具用スタンド。
【請求項６】
前記支持部材には、玩具体を立たせた状態で取り付ける取付部が設けられていることを特徴とする請求項４又は５記載の玩具用スタンド。
【請求項７】
基台には、玩具体を立たせた状態で保持する保持部材が設けられていることを特徴とする請求項４、５又は６記載の玩具用スタンド。
【請求項８】
前記電子部品は、発光ダイオードであることを特徴とする請求項４乃至７のいずれか１項に記載の玩具用スタンド。
【考案の詳細な説明】
【技術分野】
【０００１】
本願考案は、玩具体に非接触で給電を行うことができる玩具用スタンドに関する。
【背景技術】
【０００２】
従来、玩具体に非接触で給電を行うことができる玩具用スタンドは、内部に、制御コイルと、制御コイルへの通電を制御する制御装置とが設けられている。玩具用スタンドは、制御装置により制御コイルを通電すると、制御コイルに磁界が発生する。玩具体は、この制御コイルによって発生する磁界の影響を受けるように構成され、受信コイルと発光ダイオードが設けられている。玩具用スタンドは、これに玩具体を載せ、制御装置により制御コイルを通電すると、制御コイルに磁界が発生し、この磁界により玩具体の受信コイルに誘導起電力が生じ、発光ダイオードが点灯するようになっている（例えば、特許文献１）。
【先行技術文献】
【特許文献】
【０００３】
【特許文献１】特許第４２５０７０８号公報
【考案の概要】
【考案が解決しようとする課題】
【０００４】
上記した玩具用スタンドは、発生する磁界が弱いため、玩具体を載せても、玩具体の受信コイルが制御コイルに近づいていないと、玩具体の発光ダイオードは点灯しない。従って、玩具体の大きさを小さくするか、受信コイルを玩具体の下部に設けなければ、玩具体の発光ダイオードは点灯しないという問題点があった。また、従来からある人形玩具等の玩具体は、内部に受信コイルと発光ダイオードを組み込むことが困難であるという問題点があった。例えば、硬質合成樹脂によって形成された多数の部品からなる人形玩具である場合、頭部を点灯させるため、頭部に発光ダイオードを内装し、足に受信コイルを設け、頭部の発光ダイオードと足の受信コイルを繋ぐ電気コードを身体内部に通さなければならず、組み込みが困難であるという問題点があった。また、軟質合成樹脂によって一体成形された人形玩具である場合、頭部に発光ダイオードをインサート成形し、足に受信コイルをインサート成形し、身体に発光ダイオードと受信コイルを繋ぐ電気コードをインサート成形しなければならないが、この成形自体が困難であるという問題点があった。
【０００５】
また、従来からある人形玩具等の玩具体の一部を、何ら加工を施すことなく点灯させるため、別途形成した、受信コイルと発光ダイオードを内蔵した玩具部品を玩具体に装着することも考えられる。このようにして、玩具部品を装着した玩具体を上記した玩具用スタンドに載置すると、この玩具部品が点灯する。しかし、この玩具部品の装着位置が玩具用スタンド内の制御コイルから離れていると、発光ダイオードが点灯することできないという問題点があった。
【０００６】
本願考案は、上記問題点に鑑み案出したものであって、受信コイルと電子部品を備えた玩具体の受信コイルの位置に制御コイルを近づけた玩具用スタンドを提供することを第１の目的とする。また、制御コイルの位置を自由に変えて、制御コイルを玩具体の受信コイルの位置に近づけることができる玩具用スタンドを提供することを第２の目的とする。
【課題を解決するための手段】
【０００７】
本願請求項１記載の玩具用スタンドは、上記第１の目的を達成するため、基台と給電装置を有し、給電装置は、制御コイルと、電源部と、電源部の駆動による制御コイルへの通電を制御する制御装置とからなり、基台の上面には、支持部材が設けられ、前記制御コイルは、支持部材の上部に取り付けられていることを特徴とする。
【０００８】
本願請求項２記載の玩具用スタンドは、上記第２の目的を達成するため、前記支持部材は、塑性変形可能な素材で形成されていることを特徴とする。
【０００９】
本願請求項３記載の玩具用スタンドは、上記第２の目的を達成するため、前記支持部材は、複数のリンク部材と、各リンク部材を直列状に連結する連結部とからなり、屈曲可能に形成されていることを特徴とする。
【００１０】
本願請求項４記載の玩具用スタンドは、上記第２の目的を達成するため、基台は、受信コイルと、受信コイルに電気的に接続された電子部品を備えた玩具体を載置可能に形成されていることを特徴とする。
【００１１】
本願請求項５記載の玩具用スタンドは、上記第１，２の目的を達成するため、基台は、受信コイルと、受信コイルに電気的に接続された電子部品を備えた玩具部品を装着できる玩具体を載置可能に形成されていることを特徴とする。
【００１２】
本願請求項６記載の玩具用スタンドは、上記第１，２の目的を達成するため、前記支持部材に、玩具体を立たせた状態で取り付ける取付部が設けられていることを特徴とする。
【００１３】
本願請求項７記載の玩具用スタンドは、上記第１，２の目的を達成するため、基台には、玩具体を立たせた状態で保持する保持部材が設けられていることを特徴とする。
【００１４】
本願請求項８記載の玩具用スタンドは、上記第１，２の目的を達成するため、前記電子部品は、発光ダイオードであることを特徴とする。
【考案の効果】
【００１５】
本願考案に係る玩具用スタンドは、基台と給電装置を有する。給電装置は、制御コイルと、電源部と、電源部の駆動による制御コイルへの通電を制御する制御装置とからなる。基台の上面には、支持部材が設けられている。前記制御コイルは、支持部材の上部に取り付けられている。本願考案に係る玩具用スタンドは、基台の上部に支持部材を介して制御コイルが配置されているので、人形玩具等の玩具体の高い位置に設けられた受信コイルに誘導起電力を発生させ、玩具体に組み込まれた電子部品を駆動させることができるという効果がある。また、本願考案に係る玩具用スタンドは、支持部材を細くすることができるので、載置する玩具体の邪魔にならないという効果がある。
【００１６】
本願考案に係る玩具用スタンドは、前記支持部材が塑性変形可能な素材で形成されている。本願考案に係る玩具用スタンドは、上記効果に加え、支持部材を変形させて、制御コイルの位置を自由に変えることができ、玩具体に組み込まれた受信コイルに近接させて電子部品を駆動させることができるという効果がある。
【００１７】
本願考案に係る玩具用スタンドは、前記支持部材が複数のリンク部材と、各リンク部材を直列状に連結する連結部とからなり、屈曲可能に形成されている。本願考案に係る玩具用スタンドは、上記効果に加え、支持部材を屈曲変形させて、制御コイルの位置を自由に変えることができ、玩具体に組み込まれた受信コイルに近接させて電子部品を駆動させることができるという効果がある。
【００１８】
本願考案に係る玩具用スタンドは、基台が受信コイルと受信コイルに電気的に接続された電子部品を備えた玩具体を載置可能に形成されている。本願考案に係る玩具用スタンドは、上記効果に加え、基台に人形玩具等の玩具体を載置することができ、玩具体を載置すると、受信コイルが制御コイルの磁界の影響により誘導起電力が発生し、玩具体の電子部品を駆動させることができるという効果がある。
【００１９】
本願考案に係る玩具用スタンドは、基台が受信コイルと受信コイルに電気的に接続された電子部品を備えた玩具部品を装着できる玩具体を載置可能に形成されている。本願考案に係る玩具用スタンドは、上記効果に加え、基台に人形玩具等の玩具体を載置することができ、玩具体を載置すると、受信コイルが制御コイルの磁界の影響により誘導起電力が発生し、玩具部品の電子部品を駆動させることができるという効果がある。
【００２０】
本願考案に係る玩具用スタンドは、基台に、玩具体を立たせた状態で保持する保持部材が設けられている。本願考案に係る玩具用スタンドは、上記効果に加え、保持部材により玩具体を安定して立たせておくことができ、その間、電子部品に制御コイルを近接させた状態で電子部品を駆動させ続けることができるという効果がある。なお、前記支持部材に、玩具体を立たせた状態で取り付ける取付部を設けていても良い。このような構成にすることにより、支持部材により玩具体を安定して立たせておくことができ、その間、電子部品に制御コイルを近接させた状態で電子部品を駆動させ続けることができるという効果がある。
【００２１】
本願考案に係る玩具用スタンドは、前記電子部品が発光ダイオードであるので、上記効果に加え、夜間に発光ダイオードを駆動させると、玩具体がより一層綺麗に見えるようになるという効果がある。
【図面の簡単な説明】
【００２２】
【図１】本願考案に係る玩具用スタンドの一つの形態を示す斜視図である。
【図２】図１の支持部材の説明図である。
【図３】給電装置と電子部品の電気回路図である。
【考案を実施するための形態】
【００２３】
本願考案に係る玩具用スタンドの概要について説明する。玩具用スタンド１は、基台２と給電装置２１を有する。給電装置２１は、制御コイル２２と、電源部２３と、電源部２３の駆動による制御コイル２２への通電を制御する制御装置２５とからなる。基台２の上面３には、支持部材１１が設けられている。前記制御コイル２２は、支持部材１１の上部に取り付けられている。玩具用スタンド１は、基台２の上部に支持部材１１を介して制御コイル２２が配置されているので、人形玩具等の玩具体４１の高い位置に設けられた受信コイル５７に誘導起電力を発生させ、玩具体４１に組み込まれた電子部品５６を駆動させることができる。また、玩具用スタンド１は、支持部材１１を細くすることができるので、載置する玩具体４１の邪魔にならない。電源部２３は、単三電池、単四電池、ボタン電池等の一般的な電池の他、家庭用電源、ＵＳＢ電源であっても良い。
【００２４】
玩具用スタンド１は、前記支持部材１１が塑性変形可能な素材で形成されていると、支持部材１１を変形させて、制御コイル２２の位置を自由に変えることができ、玩具体４１に組み込まれた受信コイル５７に近接させて電子部品５６を駆動させることができる。同様に、前記支持部材１１が複数のリンク部材１２，１３と、各リンク部材１２，１３を直列状に連結する連結部１５とからなり、屈曲可能に形成されていてもよい。玩具用スタンド１は、支持部材１１を屈曲変形させて、制御コイル２２の位置を自由に変えることができ、玩具体４１に組み込まれた受信コイル５７に近接させて電子部品５６を駆動させることができる。
【００２５】
玩具用スタンド１は、基台２が受信コイル５７と受信コイル５７に電気的に接続された電子部品５６を備えた玩具体４１を載置可能に形成されている。玩具用スタンド１は、基台２に人形玩具等の玩具体４１を載置することができ、玩具体４１を載置すると、受信コイル５７が制御コイル２２の磁界の影響により誘導起電力が発生し、玩具体４１の電子部品５６を駆動させることができる。
【００２６】
玩具用スタンド１は、基台２が受信コイル５７と受信コイル５７に電気的に接続された電子部品５６を備えた玩具部品５０を装着できる玩具体４１を載置可能に形成されている。玩具用スタンド１は、基台２に人形玩具等の玩具体４１を載置することができ、玩具体４１を載置すると、受信コイル５７が制御コイル２２の磁界の影響により誘導起電力が発生し、玩具部品５０の電子部品５６を駆動させることができる。
【００２７】
玩具用スタンド１は、基台２に、玩具体４１を立たせた状態で保持する保持部材３１が設けられている。玩具用スタンド１は、保持部材３１により玩具体４１を安定して立たせておくことができ、その間、電子部品５６に制御コイル２２を近接させた状態で電子部品５６を駆動させ続けることができる。なお、前記支持部材１１が保持部材３１であっても良い。支持部材３１に、玩具体４１を立たせた状態で取り付ける取付部３５を設けることにより、支持部材３１により玩具体４１を安定して立たせておくことができ、その間、電子部品５６に制御コイル２２を近接させた状態で電子部品５６を駆動させ続けることができる。玩具用スタンド１は、前記電子部品５６が発光ダイオードである場合、夜間に発光ダイオードを駆動させると、玩具体４１がより一層綺麗に見えるようになる。なお、電子部品５６は、発光ダイオードのみならず、発音体、モーター等の種々のものであっても良い。
【００２８】
さらに、玩具用スタンドについて詳細に説明する。図１に示すように、玩具用スタンド１は、基台２と、基台２の内部に設けられた給電装置２１を有する。基台２は、合成樹脂によって内部に収容部が形成された箱形状に形成されている。基台２は、上面板３と、上面板３の前端縁下部に設けられた前面板４と、上面板３の後端縁下部に設けられた後面板５と、上面板３の右端縁下部に設けられた右面板６と、上面板３の左端縁下部に設けられた左面板７と、前面板４と後面板５と右面板６と左面板７の下端縁を接続する底面板８とで中空箱形状に形成されている。
【００２９】
基台２の上面板３には、支持部材１１が設けられている。支持部材１１は、複数のリンク部材１２，１３と、各リンク部材１２，１３を回動可能に連結する連結部１５とからなり、連結部１５を中心としてリンク部材１２，１３が屈曲するように構成されている、上部リンク部材１２は、下端が連結部１５により下部リンク部材１３の上端に直列状に連結され、上端に連結部１５を介して筒状ホルダー１６が回動可能に連結されている。下部リンク部材１３は、下端が連結部１５を介して上面板３に回動可能に連結されている。
【００３０】
給電装置２１は、制御コイル２２と、電池（電源部）２３と、電池（電源部）２３の駆動による制御コイル２２への通電を制御する電子基板（制御装置）２５と、スイッチ２６の各電気部品で構成される。この各電気部品は、電気的に接続されている。電子基板（制御装置）２５には、電池（電源部）２３の制御コイル２２への通電を制御する制御回路が設けられている。電池（電源部）２３及び電子基板２５は、基台２の内部に設けられている。制御コイル２２は、支持部材１１の筒状ホルダー１６内に取り付けられている。スイッチ２６は、基台２の前面板４に取り付けられている。
【００３１】
基台２の上面板３には、人形玩具等の玩具体４１を立たせた状態で保持する保持部材３１が設けられている。保持部材３１は、下部連結部３２を介して上面板３に回動可能に取り付けられ、上部に取付部３５が設けられている。取付部３５は、人形玩具等の玩具体４１を取り付けるように形成され、上部連結部３３を介して保持部材３１の上部に回動可能に取り付けられている。
【００３２】
基台２の上面板３に玩具体４１を載置することができる。玩具体４１は、従来からある人形玩具であって、胴体部４２と、頭部４３と、腕部４５と、脚部４６とからなり、各部が関節により屈曲するようになっている。この玩具体４１は、基台２の上面板３に立たせることができる他、前記保持部材３１の取付部３５に胴体部４２を取り付けて基台２上に固定することができる。また、玩具体４１に玩具部品５０を装着させることができる。
【００３３】
玩具部品５０は、例えば、玩具体４１の手部４７，４７に保持させる刀剣等であって、握り部５１と透過性を有する刀部５２からなる。玩具部品５０内には、発光ユニット５５が設けられている。発光ユニット５５は、発光ダイオード５６と、発光ダイオード５６に電気的に接続される受信コイル５７を有する。発光ユニット５５は、握り部５１に設けられ、発光ダイオード５６が点灯すると透過性を有する刀部５２全体が発光する。
【００３４】
玩具用スタンド１は、スイッチ２６をオンすると、電子基板（制御装置）２５の制御回路が制御を開始し、電池（電源部）２３が制御コイル２２への通電を行う。制御コイル２２は、通電により、磁界を発生する。支持部材１１を屈曲して、筒状ホルダー１６を玩具部品５０に近づけると、制御コイル２２の磁界により玩具部品５０内の受信コイル５７に誘導起電力が生じ、発光ダイオード５６が点灯する。このように、支持部材１１を屈曲させて、制御コイル２２を発光ユニット５５に近づけることができる。
【００３５】
上記実施の形態では、玩具部品５０内に発光ユニット５５を設けたが、玩具体４１内に発光ユニット５５を直接的に設けても構わない。また、支持部材１１は、複数のリンク部材１２，１３によって折曲可能に形成しているが、塑性変形可能な金属素材又は樹脂素材で形成してもよい。
【産業上の利用可能性】
【００３６】
本願考案は、玩具体に非接触で給電を行うことができる玩具用スタンドに利用可能である。
【符号の説明】
【００３７】
１  玩具用スタンド
２  基台
３  上面板
４  前面板
５  後面板
６  右面板
７  左面板
８  底面板
１１  支持部材
１２  上部リンク部材
１３  下部リンク部材
１５  連結部
１６  筒状ホルダー
２１  給電装置
２２  制御コイル
２３  電池（電源部）
２５  電子基板（制御装置）
２６  スイッチ
３１  保持部材（支持部材）
３２  下部連結部
３３  上部連結部
３５  取付部
４１  玩具体
４２  胴体部
４３  頭部
４５  腕部
４６  脚部
４７  手部
５０  玩具部品
５１  握り部
５２  刀部
５５  発光ユニット
５６  発光ダイオード（電子部品）
５７  受信コイル
【図１】
0003199903.tif 000003
【図２】
0003199903.tif 000004
【図３】
0003199903.tif 000005